(57)【要約】 【課題】  移動通信端末機に入力される電流量に該当する補償電流をバッテリに供給することで、移動通信端末機の動作有無には関係なしに、充電が進行中のバッテリに常に所定電流を供給し得る移動通信端末機の充電装置及びその方法を提供しようとする。【解決手段】  充電器１００によりバッテリ２３０が具備された移動通信端末機２００の充電時、前記移動通信端末機２００に流れる電流を検出する段階と、該検出された電流値に対応する補償電流を供給するためのデータ信号を出力する段階と、該出力されたデータ信号に対応する補償電流を前記バッテリ２３０に入力される電流に加算して該バッテリ２３０に供給する補償電流供給段階と、を行うことで移動通信端末機を充電する。【選択図】  図１
2004208497.tif 000002
【特許請求の範囲】
【請求項１】
充電器によりバッテリが具備された移動通信端末機を充電する時、
前記移動通信端末機に流れる電流を検出する段階と、
該検出された電流値に対応する補償電流を供給するためのデータ信号を出力する段階と、
該出力されたデータ信号に対応する補償電流を前記バッテリに入力される電流に加算して該バッテリに供給する補償電流供給段階と、を行うことを特徴とする移動通信端末機の充電方法。
【請求項２】
前記充電器に前記移動通信端末機を連結してバッテリを充電する段階を更に行うことを特徴とする請求項１記載の移動通信端末機の充電方法。
【請求項３】
前記バッテリを充電する段階は、
前記充電器から前記移動通信端末機のバッテリ容量を確認する段階と、
前記バッテリの容量に応じて既に設定された電流を出力して前記移動通信端末機のバッテリを充電する段階と、を行うことを特徴とする請求項２記載の移動通信端末機の充電方法。
【請求項４】
前記移動通信端末機に流れる電流値に対応して前記充電器の電圧セッティング値を制御することで、充電をするための補償電流を増加することを特徴とする請求項１記載の移動通信端末機の充電方法。
【請求項５】
前記補償電流供給段階は、
前記入力されたデータ信号に対応して前記充電器のセッティング電圧を制御する段階と、
該セッティングされた電圧を受けて定電圧／定電流を制御するためのパルス電圧を出力する段階と、
該出力されたパルス電圧を受けて補償電流を出力する段階と、を順次行うことを特徴とする請求項４記載の移動通信端末機の充電方法。
【請求項６】
前記移動通信端末機に流れる電流値に対応して前記充電器のフィードバック抵抗を制御することで、充電をするための補償電流を増加することを特徴とする請求項１記載の移動通信端末機の充電方法。
【請求項７】
前記補償電流供給段階は、
前記入力されたデータ信号に対応して前記充電器のフィードバック抵抗を減少するための信号を出力する段階と、
前記フィードバック抵抗の信号を受けて、定電圧／定電流を制御するためのパルス電圧を出力する段階と、
該出力されたパルス電圧を受けて補償電流を出力する段階と、を行うことを特徴とする請求項６記載の移動通信端末機の充電方法。
【請求項８】
バッテリと、
該バッテリを充電するための定電圧／定電流を出力する定電圧／定電流出力部と、
該定電圧／定電流出力部から供給される直流電源中、前記移動通信端末機に流れる電流を検出する電流センサ部と、
該検出された直流電流値を受けて、該検出された直流電流値に該当する補償電流を供給するためのデータ信号を出力する移動通信モデム部と、
前記データ信号を受けて、前記端末機に流れる電流量だけ前記バッテリに補償電流を更に供給するための制御信号を出力する制御部と、を含んで構成されることを特徴とする移動通信端末機の充電装置。
【請求項９】
前記移動通信モデム部は、前記電流センサ部から検出された電流値が既に設定された基準電流値より大きいと、前記端末機に流れる電流が前記バッテリを充電するための時間に影響を与えると判断し、前記検出された電流値に対する所定データ信号を出力することを特徴とする請求項８記載の移動通信端末機の充電装置。
【請求項１０】
外部の常用電源を受けて直流電源を出力する電源供給部と、
前記バッテリに流れる電流値を受けて、その入力電流値に対するフィードバック抵抗値を調節する電圧／電流フィードバック部と、を更に含んで構成されることを特徴とする請求項８記載の移動通信端末機の充電装置。
【請求項１１】
前記制御部は、前記補償電流を供給するために、前記移動通信モデム部からデータ信号を受けて、前記電圧／電流フィードバック部のフィードバック抵抗を減少するための信号を出力し、前記定電圧／定電流を制御するためのパルス電圧を出力することを特徴とする請求項１０記載の移動通信端末機の充電装置。
【請求項１２】
前記制御部は、前記補償電流を供給するために、前記移動通信モデム部からデータ信号を受けて前記充電器のセッティング電圧を制御し、これに対応するパルス電圧を出力することを特徴とする請求項８又は９記載の移動通信端末機の充電装置。
【発明の詳細な説明】
【技術分野】
【０００１】
本発明は、移動通信端末機の充電システムに係るもので、詳しくは、移動通信端末機の動作可否と関係なしに、迅速にバッテリの充電を終了し得る移動通信端末機の充電装置及びその方法に関するものである。
【背景技術】
【０００２】
一般に、移動通信端末機用バッテリは、充電器に連結するための端子として３個又は４個を一緒に用いるが、バッテリの端子が３個の場合は、（＋）端子、（−）端子及びＩＤ端子用に構成され、バッテリの端子が４個の場合は、残りの一つのバッテリを温度変化をチェックするための温度チェック端子に用いるように構成される。このとき、前記ＩＤ端子は、充電器で充電されるバッテリ容量をチェックするための端子であって、主にＩＤ端子に連結された抵抗値によりバッテリ容量をチェックするが、該ＩＤ端子の抵抗値は事業者によって決定される。即ち、前記各抵抗は、バッテリのＩＤ端子と（−）端子間に連結することで、充電器でそれら二つの端子間の抵抗値をチェックしてバッテリ容量を確認することができる。
【０００３】
又、前記バッテリを具備した移動通信端末機の充電には、別途に設けられた充電器を使用するが、このとき、家庭用充電器や旅行用充電器（Ｔｒａｖｅｌｌｅｒ  Ｃｈａｒｇｅｒ）は、交流電源を受けて直流電源に整流した後、定電圧（例えば、４．２Ｖ）を発生し、車両用充電器（ＣＬＣ）及びハンズフリーキット（ＨＦＫ）は、車両用電圧であるＤＣ１２Ｖをステップダウンさせて定電圧（例えば、４．２Ｖ）を発生することで充電動作を行う。このとき、前記充電器には、充電をするための直流電流を供給するために主に定電圧／定電流回路が使用される。従って、充電をするためのバッテリの電圧が低いと定電流で充電を進行し、途中でバッテリ電圧が上昇すると定電圧で充電を進行する。その後、充電が継続されることで、充電電流は漸次減少されるようになる。
【０００４】
一方、この充電電流は、バッテリに直列連結された抵抗により流れるが、その充電電流の抵抗の両端電圧を測定し、所定レベル以上のときは、バッテリが未だ完全に充電されていないと判断し、所定レベル以下のときは、バッテリが完全に充電されたことと判断する。
【０００５】
図３は従来の移動通信端末機のバッテリ充電方法を示したフローチャートで、図示されたように、従来の移動通信端末機のバッテリ充電方法は、充電器で前記バッテリのＩＤ抵抗値をチェックし、それに対応するバッテリの容量を確認する段階（Ｓ１１０）と、前記バッテリの容量に該当する充電電流を前記バッテリに印加する段階（Ｓ１２０）と、前記バッテリの充電電圧又はバッテリに入力される充電電流をチェックする段階（Ｓ１３０）と、バッテリの充電が終了したかを判断する段階（Ｓ１４０）と、該判断の結果、前記バッテリの充電が終了した場合は、表示部にバッテリの充電が終了したことを表示して、前記充電器の出力電流をオフする段階（Ｓ１５０）と、を順次行う。
【０００６】
以下、このような従来の移動通信端末機の充電方法に対し、より詳しく説明する。
【０００７】
まず、移動通信端末機のバッテリを充電するために、充電器に具備された充電スロット（Ｓｌｏｔ）に前記バッテリを装着し、その後、前記充電器はバッテリのＩＤ端子をチェックしてバッテリの容量を確認する（Ｓ１１０）。即ち、充電器に接触されたバッテリのＩＤ端子の抵抗値によりバッテリの容量を確認し、例えば、５００ｍＡｈの容量を有するバッテリのＩＤ抵抗値が２．４ＫΩで、７５０ｍＡｈの容量を有するバッテリのＩＤ抵抗値が４．７ＫΩであると、充電器は前記バッテリのＩＤ端子の抵抗値により充電するバッテリの容量を確認し、前記充電器が前記ＩＤ端子の抵抗値によりバッテリ容量を確認すると、その容量に対応する充電電流をバッテリの充電端子に印加する（Ｓ１２０）。即ち、バッテリの容量が５００ｍＡｈであると５００ｍＡｈの充電電流を印加し、７５０ｍＡｈであると７５０ｍＡｈの充電電流を印加する。
【０００８】
次いで、前記充電電流が印加された後、予め設定された所定時間毎にバッテリの充電電圧又は充電器の出力電流値を測定する（Ｓ１３０）。このとき、前記充電電流印加によるバッテリ充電電圧が予め設定された所定電圧以上に上昇すると、充電器から出力される電流値は漸次減少して出力される。即ち、最初、５００ｍＡｈの電流を出力した充電器は、バッテリの充電電圧が所定電圧以上に増加すると、５００ｍＡｈより小さい電流値を出力することで、その値が漸次減少するようになる。
【０００９】
よって、前記バッテリの充電電圧が予め設定された基準電圧より大きいか、又は前記充電器から出力した充電電流が予め設定された基準電流より小さくなると、バッテリの充電が終了したと判断し（Ｓ１４０）、これと同時に、充電器に具備された表示部により充電終了表示をした後、充電器から出力される電流をオフさせる（Ｓ１５０）。
【００１０】
一方、移動通信端末機のバッテリ充電中、使用者により便利な環境を提供するために、バッテリが充電中であると表示するか、又は前記端末機が他の動作を行うこともある。
【００１１】
例えば、バッテリが充電中であることを移動通信端末機に表示するために、前記端末機の液晶画面バックライト（ｂａｃｋｌｉｇｈｔ）及びキーパッドバックライトを動作することもある。即ち、液晶画面上に表示されたバッテリバーをスクロールリング（Ｓｃｒｏｌｌｉｎｇ）するか、又は「Ｂａｔｔｅｒｙ  Ｃｈａｒｇｉｎｇ」などの文字を出力することで、使用者は、端末機の液晶画面を通してバッテリ充電が進行中であることを確認することもできる。又、移動通信端末機に予め保存された電話番号を探すために、端末機のキーボタンを押して保存された番号を検索するか、又は移動通信端末機の環境設定を変更するために端末機のメニュー操作を行うことで、移動通信端末機のバッテリ充電中に、他の動作を指示することもできる。
【発明の開示】
【発明が解決しようとする課題】
【００１２】
然るに、このような従来の移動通信端末機のバッテリ充電方法においては、画面に表示するために、バックライトの駆動及び使用者の端末機操作などの動作を行うとき、前記移動通信端末機は充電器から供給される所定電流を消耗するが、前記充電器は、バッテリの容量に対応して予め設定された電流値のみを出力してバッテリを充電するので、前記移動通信端末機で消耗される電流量は考慮していなかった。よって、移動通信端末機で電流消耗が多い場合は、バッテリに充電される電流量が小さくなるため、バッテリの充電を終了するのに長い時間が所要されるという不都合な点があった。
【００１３】
本発明は、このような従来の課題に鑑みてなされたもので、移動通信端末機に入力される電流量に該当する補償電流をバッテリに供給することで、移動通信端末機の動作有無に関係なく、充電が進行中のバッテリに常に所定電流が供給される移動通信端末機の充電装置及びその方法を提供することを目的とする。
【課題を解決するための手段】
【００１４】
このような目的を達成するため、本発明に係る移動通信端末機の充電方法は、充電器によりバッテリが具備された移動通信端末機の充電時、前記移動通信端末機に流れる電流を検出する段階と、該検出された電流値に対応する補償電流を供給するためのデータ信号を出力する段階と、前記出力されたデータ信号に対応する補償電流を前記バッテリに入力される電流に加算して該バッテリに供給する補償電流供給段階と、を行うことを特徴とする。
【００１５】
又、本発明に係る移動通信端末機の充電装置は、バッテリと、該バッテリを充電するための定電圧／定電流を出力する定電圧／定電流出力部と、該定電圧／定電流出力部から供給される直流電源中、前記移動通信端末機に流れる電流を検出する電流センサ部と、前記検出された直流電流値を受けて、該検出された直流電流値に該当する補償電流を供給するためのデータ信号を出力する移動通信モデム部と、前記データ信号を受けて、前記端末機に流れる電流量だけ前記バッテリに補償電流を更に供給するための制御信号を出力する制御部と、を含んで構成されることを特徴とする。
【００１６】
本発明の移動通信端末機の充電方法は、充電器によりバッテリが具備された移動通信端末機を充電する時、前記移動通信端末機に流れる電流を検出する段階と、該検出された電流値に対応する補償電流を供給するためのデータ信号を出力する段階と、該出力されたデータ信号に対応する補償電流を前記バッテリに入力される電流に加算して該バッテリに供給する補償電流供給段階と、を行うことを特徴とする。
【００１７】
上記本発明の移動通信端末機の充電方法において、前記充電器に前記移動通信端末機を連結してバッテリを充電する段階を更に行うことが好ましい。
【００１８】
上記本発明の移動通信端末機の充電方法において、前記バッテリを充電する段階は、前記充電器から前記移動通信端末機のバッテリ容量を確認する段階と、前記バッテリの容量に応じて既に設定された電流を出力して前記移動通信端末機のバッテリを充電する段階と、を行うことが好ましい。
【００１９】
上記本発明の移動通信端末機の充電方法において、前記移動通信端末機に流れる電流値に対応して前記充電器の電圧セッティング値を制御することで、充電をするための補償電流を増加することが好ましい。
【００２０】
上記本発明の移動通信端末機の充電方法において、前記補償電流供給段階は、前記入力されたデータ信号に対応して前記充電器のセッティング電圧を制御する段階と、該セッティングされた電圧を受けて定電圧／定電流を制御するためのパルス電圧を出力する段階と、該出力されたパルス電圧を受けて補償電流を出力する段階と、を順次行うことが好ましい。
【００２１】
上記本発明の移動通信端末機の充電方法において、前記移動通信端末機に流れる電流値に対応して前記充電器のフィードバック抵抗を制御することで、充電をするための補償電流を増加することが好ましい。
【００２２】
上記本発明の移動通信端末機の充電方法において、前記補償電流供給段階は、前記入力されたデータ信号に対応して前記充電器のフィードバック抵抗を減少するための信号を出力する段階と、前記フィードバック抵抗の信号を受けて、定電圧／定電流を制御するためのパルス電圧を出力する段階と、該出力されたパルス電圧を受けて補償電流を出力する段階と、を行うことが好ましい。
【００２３】
本発明の移動通信端末機の充電装置は、バッテリと、該バッテリを充電するための定電圧／定電流を出力する定電圧／定電流出力部と、該定電圧／定電流出力部から供給される直流電源中、前記移動通信端末機に流れる電流を検出する電流センサ部と、該検出された直流電流値を受けて、該検出された直流電流値に該当する補償電流を供給するためのデータ信号を出力する移動通信モデム部と、前記データ信号を受けて、前記端末機に流れる電流量だけ前記バッテリに補償電流を更に供給するための制御信号を出力する制御部と、を含んで構成されることを特徴とする。
【００２４】
上記本発明の移動通信端末機の充電装置において、前記移動通信モデム部は、前記電流センサ部から検出された電流値が既に設定された基準電流値より大きいと、前記端末機に流れる電流が前記バッテリを充電するための時間に影響を与えると判断し、前記検出された電流値に対する所定データ信号を出力することが好ましい。
【００２５】
上記本発明の移動通信端末機の充電装置において、外部の常用電源を受けて直流電源を出力する電源供給部と、前記バッテリに流れる電流値を受けて、その入力電流値に対するフィードバック抵抗値を調節する電圧／電流フィードバック部と、を更に含んで構成されることが好ましい。
【００２６】
上記本発明の移動通信端末機の充電装置において、前記制御部は、前記補償電流を供給するために、前記移動通信モデム部からデータ信号を受けて、前記電圧／電流フィードバック部のフィードバック抵抗を減少するための信号を出力し、前記定電圧／定電流を制御するためのパルス電圧を出力することが好ましい。
【００２７】
上記本発明の移動通信端末機の充電装置において、前記制御部は、前記補償電流を供給するために、前記移動通信モデム部からデータ信号を受けて前記充電器のセッティング電圧を制御し、これに対応するパルス電圧を出力することが好ましい。
【発明の効果】
【００２８】
本発明に係る移動通信端末機の充電方法は、移動通信端末機の動作に従って該端末機に入力される電流量を確認し、前記端末機で消耗される電流量だけ加算した電流を補償してバッテリを充電させることで、移動通信端末機の動作有無には関係なく、バッテリに所定電流が入力されるため、バッテリの充電が終了されるまでかかる時間を節減し得るという効果がある。
【００２９】
尚、本発明は、具体的な例に対してのみ詳細に説明されたが、本発明の技術思想範囲内で多様な変形及び修正が可能であることは当業者にとって明白であり、このような変形及び修正が添付された特許請求の範囲に属することは当然である。
【発明を実施するための最良の形態】
【００３０】
以下、本発明の実施の形態に対し、図面に基づいて説明する。
【００３１】
図１は本発明に係る移動通信端末機の充電装置を示したブロック図で、図示されたように、本発明に係る移動通信端末機の充電装置は、バッテリ２３０、該バッテリ２３０に連結された移動通信端末機２００及び充電器１００により構成される。且つ、前記充電器１００は、外部の常用電源を受けて直流電源を出力する電源供給部１２０と、前記直流電源を受けてバッテリを充電するために定電圧／定電流を出力する定電圧／定電流出力部１３０と、前記バッテリ２３０に流れる電流値が入力されると、その入力電流値に対するフィードバック抵抗値を調節する電圧／電流フィードバック部１１０と、前記定電圧／定電流出力部１３０及び前記電圧／電流フィードバック部１１０を制御する制御部１４０と、を含んで構成されている。
【００３２】
又、前記移動通信端末機２００は、前記定電圧／定電流出力部１３０から供給される直流電源中、前記移動通信端末機に流れる電流を検出する電流センサ部２１０と、該電流センサ部２１０から検出された電流値を受けて、該検出された電流値に該当する補償電流を供給するためのデータ信号を前記制御部１４０に出力する移動通信モデム部（ＭＳＭ）２２０と、を含んで構成される。且つ、前記充電器１００は、前記移動通信モデム部２２０から前記制御部１４０に所定データを送信する端子（Ｐｏｒｔ）を具備している。
【００３３】
以下、このように構成された本発明に係るバッテリを具備した移動通信端末機の充電装置の動作に対し、前記移動通信端末機２００に入力される電流量が少ない場合と、該移動通信端末機２００の動作により該移動通信端末機に入力される電流量が多い場合とに分けて説明する。
【００３４】
まず、前記端末機２００の電流センサ部２１０から検出された電流値が既に設定された基準電流値より少ない微少電流のみが流れるとき、移動通信モデム部２２０は端末機２００に入力された電流がバッテリ２３０を充電する時間に影響を与えないと判断し、「０」に対する所定データ信号を出力する。例えば、前記移動通信モデム部２２０のデータ信号が８ビットの場合は、「００００００００」値を有する信号を出力するが、このとき、「０」に対する所定データ信号は、充電器１００の出力電流を調整しないことを意味する。即ち、充電器１００から所定電流Ｉ１が出力されると、該電流Ｉ１は、バッテリ２３０及び端末機２００に入力され、該端末機２００に入力される電流量Ｉ２を電流センサ部２１０から検出し（Ｓ２３０）、該検出された電流値を移動通信モデム部２２０に出力し、残りの電流Ｉ３としてのＩ１−Ｉ２に対する電流はバッテリ２３０に充電される。
【００３５】
このとき、前記端末機２００に入力される電流がほとんどないため、バッテリ２３０に充電される電流は充電器１００から出力した電流とほぼ同様である。例えば、充電器１００から出力した電流がＩ１＝５００ｍＡであると、端末機２００に入力される電流はＩ２＝３ｍＡ程度で、残りのＩ３＝４９７ｍＡ電流によりバッテリ２３０が充電される。
【００３６】
次いで、前記移動通信モデム部２２が前記電流センサ部２１０から出力した電流値を受けて、その電流値が既に設定された電流値以下であると判断し、端末機２００又はバッテリ２３０に具備された端子により充電器１００の制御部１４０に「０」に対するデータ信号を出力する（Ｓ２４０）。
【００３７】
よって、充電器１００の制御部１４０は前記移動通信モデム部２２０から出力したデータ信号を受け、該データ信号を処理して定電圧／定電流出力部１３０を制御する（Ｓ２５０）。即ち、データ信号が要求する電流値が「０」であるため、出力電流に影響を与えずに、初期出力電流をそのまま出力する。例えば、初期電流が５００ｍＡであると、その電流値５００ｍＡを出力し、該出力された電流（例えば、５００ｍＡ）で端末機２００に連結されたバッテリ２３０を充電する（Ｓ２６０）。
【００３８】
併し、前記移動通信端末機２００の電流センサ部２１０から検出された電流値が既に設定された基準電流値より大きいと、移動通信モデム部２２０は端末機２００に入力された電流がバッテリ２３０を充電する時間に影響を与えないと判断し、充電器１００にその電流に対する所定データ信号を出力する。例えば、端末機２００に連結されたバッテリ２３０を充電する間、使用者の動作又は端末機２００の内部動作により端末機２００に入力される電流量が多い場合は、前記充電器１００から所定電流Ｉ１が出力されると、該電流Ｉ１はバッテリ２３０及び端末機２００に入力され、端末機２００に入力される電流量Ｉ２は電流センサ部２１０により検出され（Ｓ２３０）、該検出された電流値が移動通信モデム部２２０に出力され、残りの電流Ｉ３であるＩ１−Ｉ２に対する電流はバッテリ２３０に充電される。例えば、充電器１００から出力した電流がＩ１＝５００ｍＡで、端末機２００内のバックライト及び温度補償型発振器（ＴＣＸＯ）が動作して端末機２００に入力される電流がＩ２＝２５０ｍＡであると、バッテリ２３０は端末機２００に入力される電流の残りであるＩ３＝２５０ｍＡ電流により充電される。
【００３９】
次いで、前記移動通信モデム部２２０は前記電流センサ部２１０から出力した電流値（例えば、２５０ｍＡ）を受け、該電流値が既に設定された電流値以上であると判断して、端末機２００又はバッテリ２３０に具備された端子により充電器１００の制御部１４０にその電流値に対する所定データ信号を出力する（Ｓ２４０）。
【００４０】
次いで、充電器１００の制御部１４０では、前記移動通信モデム部２２０から出力した所定データ信号を受けて定電圧／定電流出力部１３０を制御し、初期出力電流値にそのデータ信号に対応する電流値を加算した電流を出力する（Ｓ２５０）。例えば、初期出力電流値が５００ｍＡ（Ｉ１）で、データ信号に含まれた電流値が２５０ｍＡ（Ｉ２）であるときは、制御部１４０により制御されて、定電圧／定電流出力部１３０から出力された電流値は７５０ｍＡ（Ｉ１＋Ｉ２）になる。
【００４１】
次いで、前記充電器１００から調整された電流７５０ｍＡが出力されると、その電流（７５０ｍＡ）中、所定電流（２５０ｍＡ）は端末機２００に入力されて所定動作を行い、その残りの電流（５００ｍＡ）はバッテリ２３０に入力されて充電される（Ｓ２６０）。
【００４２】
このとき、前記移動通信モデム部２２０から充電器１００の制御部１４０に所定データ信号を送信することは、既に設定された時間単位に行われ、充電器１００から出力される電流はプログラムにより制御される。
【００４３】
図２は本発明に係る移動通信端末機の充電方法を示したフローチャートで、図示されたように、本発明に係る移動通信端末機の充電方法においては、まず、移動通信端末機２００に連結されたバッテリ２３０を充電器１００に連結し（Ｓ２１０）、前記充電器１００に連結されたバッテリ２３０の容量を確認する（Ｓ２２０）。即ち、バッテリ２３０に具備された所定端子（例えば、ＩＤ端子）の抵抗値によりバッテリ２３０の容量を確認することができる。このとき、前記バッテリ２３０の容量に対する抵抗値は、移動通信事業者によって決定される。
【００４４】
従って、前記バッテリ容量に応じて既に設定された電流を出力して前記移動通信端末機のバッテリを充電する（Ｓ２３０）。例えば、バッテリ２３０の容量が５００ｍＡの場合は５００ｍＡの電流を出力し、バッテリ２３０の容量が７５０ｍＡの場合は７５０ｍＡの電流を出力する。
【００４５】
次いで、前記移動通信端末機に流れる電流値を検出し（Ｓ２４０）、該検出された電流値が既に設定されたレベルの電流値以上であるかを比較する（Ｓ２５０）。即ち、前記端末機の動作によって端末機に流れる電流量が既に設定されたレベルの電流値より多いかを判断する。
【００４６】
次いで、前記検出された電流値が既に設定されたレベルの電流値以上であると、前記移動通信端末機の移動通信モデム部から前記検出された電流値に対応するデータ信号を前記充電器の制御部に出力する（Ｓ２６０）。
【００４７】
最後に、前記充電器から前記入力されたデータ信号に対応する補償電流Ｉ２を前記バッテリに入力される電流Ｉ３に加算して、前記バッテリに供給する（Ｓ２６０）ことで、該バッテリは、前記移動通信端末機の動作可否と関係なく、常に所定充電電流Ｉ２＋Ｉ３を受けるようになる。
【００４８】
一方、前記充電器から補償電流を供給する方法は、二つの方法に大別され、その第１方法は、前記端末機２００に流れる電流値に対応して前記充電器の制御部１４０の電圧セッティング値を制御することで、前記定電圧／定電流出力部１３０から出力される電流を増加することができる。即ち、前記移動通信モデム部２２０は、前記電流センサ部２１０から検出された電流値を受け、該検出された電流値に該当するデータ信号を出力する。よって、前記充電器の制御部１４０は、前記移動通信端末機２２０から提供されるデータ信号を受けて、前記制御部１４０に具備されたマイコンのセッティング電圧を制御し、これに対応する定電圧／定電流を制御するためのパルス電圧を出力する。その後、該出力されたパルス電圧に対応して前記定電圧／定電流出力部１３０に供給される電圧を制御して補償電流を供給する。
【００４９】
第２方法は、前記端末機に流れる電流値に対応して前記電圧／電流フィードバック部１１０のフィードバック抵抗を減少することで、前記充電器１００から出力される電流を増加することができる。即ち、前記移動通信モデム部２２０は、前記電流センサ部２１０から検出された電流値を受けて、該検出された電流値に該当するデータ信号を出力する。よって、前記充電器の制御部１４０は、前記移動通信端末機２００から提供されるデータ信号を受けて、前記電圧／電流フィードバック部１１０のフィードバック抵抗を減少するための信号を出力し、前記定電圧／定電流を制御するためのパルス電圧を出力する。その後、前記出力されたパルス電圧に対応して前記定電圧／定電流出力部１３０に供給される電圧を制御して補償電流を供給する。
【００５０】
本発明は、移動通信端末機に入力される電流量に該当する補償電流をバッテリに供給することで、移動通信端末機の動作有無には関係なしに、充電が進行中のバッテリに常に所定電流を供給し得る移動通信端末機の充電装置及びその方法を提供しようとする。
【００５１】
充電器１００によりバッテリ２３０が具備された移動通信端末機２００の充電時、前記移動通信端末機２００に流れる電流を検出する段階と、該検出された電流値に対応する補償電流を供給するためのデータ信号を出力する段階と、該出力されたデータ信号に対応する補償電流を前記バッテリ２３０に入力される電流に加算して該バッテリ２３０に供給する補償電流供給段階と、を行うことで移動通信端末機を充電する。
【００５２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５３】
【図１】本発明に係る移動通信端末機の充電装置を示したブロック図である。
【図２】本発明に係る移動通信端末機の充電方法を示したフローチャートである。
【図３】従来の移動通信端末機のバッテリ充電方法を示したフローチャートである。
【符号の説明】
【００５４】
１００  充電器
１１０  電圧／電流フィードバック部
１２０  電源供給部
１３０  定電圧／定電流出力部
１４０  制御部（又はＭＩＣＯＭ）
２００  移動通信端末機
２１０  電流センサ部
２２０  移動通信モデム部（ＭＳＭ）
２３０  バッテリ
【図１】
2004208497.tif 000003
【図２】
2004208497.tif 000004
【図３】
2004208497.tif 000005